(57)【要約】【課題】  三角おにぎりを包装体を用いて包装する際にできる三方の耳部を熱溶着して封止すると、外シートに設けられた開封用条体（カットテープ）の端部を含んで構成される開封起点としての摘み片が内シートと固着し、その機能が損なわれることがある。【解決手段】  開封用条体３の開封起点６に対応する内シート７の部分に切り欠き部１０を形成することにより、開封用条体３が内シート７と固着するのを防止する。【選択図】  図１
2006264757.tif 000002
【特許請求の範囲】
【請求項１】
長手方向に沿って開封用条体（３）が設けられた外シート（２）と、該外シート（２）に対応して分断可能な内シート（７）とを備え、シート状食品（Ｎ）を間に挟んで重ね合わせた両シート（２，７）のうち、シート状食品（Ｎ）よりも外側における所定の囲い込み領域（８）を熱溶着して形成した米飯加工食品の包装体であって、開封起点となる開封用条体（３）の端部が三角形状からなる米飯加工食品（Ｒ）の一つの角部近傍に位置するように米飯加工食品（Ｒ）全体を包み込んだ後、米飯加工食品（Ｒ）の三つの角部のそれぞれに対応してできる耳部（１ａ，１ｂ，１ｃ）を封止するようにした米飯加工食品の包装体において、内シート（７）のうち、開封用条体（３）の前記端部に対応する部分に、切り欠き部（１０）が形成されてなることを特徴とする米飯加工食品の包装体。
【請求項２】
長手方向に沿って開封用条体（３）が設けられた外シート（２）と、該外シート（２）の長手方向に沿って対向辺部（７ｂ’，７ｂ’）同士を重ね合わせた一対の内シート（７，７）とを備え、シート状食品（Ｎ）を間に挟んで重ね合わせた両シート（２，７）のうち、シート状食品（Ｎ）よりも外側における所定の囲い込み領域（８）を熱溶着して形成した米飯加工食品の包装体であって、開封起点となる開封用条体（３）の端部が三角形状からなる米飯加工食品（Ｒ）の一つの角部近傍に位置するように米飯加工食品（Ｒ）全体を包み込んだ後、米飯加工食品（Ｒ）の三つの角部のそれぞれに対応してできる耳部（１ａ，１ｂ，１ｃ）を封止するようにした米飯加工食品の包装体において、内シート（７）のうち、開封用条体（３）の前記端部に対応する部分に、切り欠き部（１０）が形成されてなることを特徴とする米飯加工食品の包装体。
【請求項３】
一方の内シート（７）の対向辺部（７ｂ’）は、外側に向く第一折り返し片（７Ａ）と、該第一折り返し片（７Ａ）から内側に向く第二折り返し片（７Ｂ）と、該第二折り返し片（７Ｂ）から外側に向く第三折り返し片（７Ｃ）とを備え、第一及び第二折り返し片（７Ａ，７Ｂ）間に他方の内シート（７）の対向辺部（７ｂ’）が挿入されることで、対向辺部（７ｂ’，７ｂ’）同士が重ね合わされる請求項２に記載の米飯加工食品の包装体。
【請求項４】
他方の内シート（７）の対向辺部（７ｂ’）も、外側に向く第一折り返し片（７Ａ）と、該第一折り返し片（７Ａ）から内側に向く第二折り返し片（７Ｂ）と、該第二折り返し片（７Ｂ）から外側に向く第三折り返し片（７Ｃ）とを備え、一方の内シート（７）の対向辺部（７ｂ’）の第一及び第二折り返し片（７Ａ，７Ｂ）間に他方の内シート（７）の対向辺部（７ｂ’）の第一折り返し片（７Ａ）が挿入されると共に、一方の内シート（７）の対向辺部（７ｂ’）の第二及び第三折り返し片（７Ｂ，７Ｃ）が他方の内シート（７）の対向辺部（７ｂ’）の第一及び第二折り返し片（７Ａ，７Ｂ）間に挿入されることで、対向辺部同士（７ｂ’，７ｂ’）が重ね合わされる請求項３に記載の米飯加工食品の包装体。
【発明の詳細な説明】
【技術分野】
【０００１】
本発明は、三角おにぎり等の米飯加工食品を包装するための包装体に関する。より詳しくは、三角おにぎり等の米飯加工食品と海苔等のシート状食品を別々に包装し、食する際に両者を簡単に合体させることができる包装体に関する。
【背景技術】
【０００２】
従来、海苔が湿気るのを防止するため、三角おにぎりと海苔とを別々に包装し、食する際にこれらを合体させることができる包装体が公知である。この種の包装体は、長手方向に沿って開封用条体（例えば、カットテープなど）が設けられた矩形状の外シートと、該外シートの長手方向に沿って対向辺部同士を重ね合わせた一対の内シートとを備え、重ね合わされた外シート及び内シート間に海苔を収納した状態で海苔よりも外側における両シートの所定の囲い込み領域（例えば、両シートの周縁部同士）を熱溶着して形成した構成である。
【０００３】
かかる包装体にあっては、内シート側に三角おにぎりを配し、開封用条体の一方の端部が三角おにぎりの一つの角部に位置するように三角おにぎり全体を包み込んで三角おにぎりを包み込む。その際、三角おにぎりの三つの角部のそれぞれに対応して、シートが部分的に折り重なった耳部ができるが、この耳部を熱溶着して封止しておくことで、三角おにぎりは包装体によってほぼ密封された状態となり、耳部からの異物などの混入を防止することができる（特許文献１）。
【０００４】
とは言え、耳部における外シートには、開封用条体の一方の端部を含んで構成される摘み片が存在しており（この摘み片を持って開封用条体を引き回すことにより、外シートが分断されて開封される）、形状が一定ではない耳部を熱溶着する際、熱溶着が摘み片に掛かるようであれば、摘み片と内シートとが熱溶着により一体化し、摘み片の機能が損なわれるおそれがある。そこで、摘み片を耳部ではなく、三角おにぎりの底面に相当する部分に形成する方法が提案されている（特許文献２）。
【０００５】
【特許文献１】特開２０００−２７９１１４号公報
【特許文献２】特開２０００−３４２２０１号公報
【発明の開示】
【発明が解決しようとする課題】
【０００６】
しかしながら、上記特許文献２に記載の方法によれば、摘み片が平坦なシート面上に存在するため、摘みにくく、また、摘み片によって二分された開封用条体を一方は包装体の正面側、他方は背面側へと引き回して開封する必要があり（即ち、二回の開封操作が必要となり）、開封作業が煩雑であるという問題があった。
【０００７】
また、上記特許文献２に記載の方法では、摘み片が海苔のある位置に形成されるため、海苔が湿気るのを防止すべく、新たなに中間フィルム（図１の符号３で示される）が必要となり、その分、包装体の製造コストが跳ね上がるという問題もあった。
【課題を解決するための手段】
【０００８】
本発明は、上記問題を解決すべくなされたものであって、長手方向に沿って開封用条体３が設けられた外シート２と、該外シート２に対応して分断可能な内シート７とを備え、シート状食品Ｎを間に挟んで重ね合わせた両シート２，７のうち、シート状食品Ｎよりも外側における所定の囲い込み領域８を熱溶着して形成した米飯加工食品の包装体であって、開封起点となる開封用条体３の端部が三角形状からなる米飯加工食品Ｒの一つの角部近傍に位置するように米飯加工食品Ｒ全体を包み込んだ後、米飯加工食品Ｒの三つの角部のそれぞれに対応してできる耳部１ａ，１ｂ，１ｃを封止するようにした米飯加工食品の包装体において、内シート７のうち、開封用条体３の前記端部に対応する部分に、切り欠き部１０が形成されてなることを特徴とする。
【０００９】
あるいは、長手方向に沿って開封用条体３が設けられた外シート２と、該外シート２の長手方向に沿って対向辺部７ｂ’，７ｂ’同士を重ね合わせた一対の内シート７，７とを備え、シート状食品Ｎを間に挟んで重ね合わせた両シート２，７のうち、シート状食品Ｎよりも外側における所定の囲い込み領域８を熱溶着して形成した米飯加工食品の包装体であって、開封起点となる開封用条体３の端部が三角形状からなる米飯加工食品Ｒの一つの角部近傍に位置するように米飯加工食品Ｒ全体を包み込んだ後、米飯加工食品Ｒの三つの角部のそれぞれに対応してできる耳部１ａ，１ｂ，１ｃを封止するようにした米飯加工食品の包装体において、内シート７のうち、開封用条体３の前記端部に対応する部分に、切り欠き部１０が形成されてなることを特徴とする。
【００１０】
上記構成によれば、開封起点となる開封用条体３の端部が位置する包装体の耳部１ａにおいては、開封用条体３の端部に対応する部分に内シート７が存在しないため、熱溶着がそこに掛かるようであっても、開封用条体３の端部が内シート７と熱溶着により一体化することはない。従って、開封用条体３を引き回して外シート２のみを確実に分断することができ、きれいに開封することができる。
【００１１】
また、本発明は、一方の内シート７の対向辺部７ｂ’は、外側に向く第一折り返し片７Ａと、該第一折り返し片７Ａから内側に向く第二折り返し片７Ｂと、該第二折り返し片７Ｂから外側に向く第三折り返し片７Ｃとを備え、第一及び第二折り返し片７Ａ，７Ｂ間に他方の内シート７の対向辺部７ｂ’が挿入されることで、対向辺部７ｂ’，７ｂ’同士が重ね合わされる構成を採用することができる。これにより、内シート７の内側と外側との通気が遮断され、シート状食品の密封性が確保される。
【００１２】
この場合、他方の内シート７の対向辺部７ｂ’も、外側に向く第一折り返し片７Ａと、該第一折り返し片７Ａから内側に向く第二折り返し片７Ｂと、該第二折り返し片７Ｂから外側に向く第三折り返し片７Ｃとを備え、一方の内シート７の対向辺部７ｂ’の第一及び第二折り返し片７Ａ，７Ｂ間に他方の内シート７の対向辺部７ｂ’の第一折り返し片７Ａが挿入されると共に、一方の内シート７の対向辺部７ｂ’の第二及び第三折り返し片７Ｂ，７Ｃが他方の内シート７の対向辺部７ｂ’の第一及び第二折り返し片７Ａ，７Ｂ間に挿入されることで、対向辺部同士７ｂ’，７ｂ’が重ね合わされる構成を採用すれば、さらなる密封性の向上を図ることができる。
【発明の効果】
【００１３】
以上の如く、本発明は、三方の耳部を封止することにより米飯加工食品の密封性を確保しつつも、そのうちの一つの耳部における開封用条体の端部が内フィルムと固着するおそれがないため、開封起点を開封用条体の端部に設定することができ、その分、開封操作が一回で済み、簡単且つ確実に開封を行うことができる。しかも、開封起点を開封用条体の端部に設定することにより、従来のように中間フィルムといった余分な部材を必要としないため、安価に製造することができる。
【発明を実施するための最良の形態】
【００１４】
以下、本発明に係る包装体の一実施形態について図面を参酌しつつ説明する。図１及び図２に示す如く、本実施形態に係る包装体１は、短手方向中央部にカットテープ３が長手方向に沿って設けられた矩形状の外シート２と、該外シート２に重ね合わされた左右の内シート７，７（２枚の内シートを合わせて「内シート」という場合がある）とを備え、該外シート２と内シート７の間には、海苔Ｎを収納可能な収納空隙部４が形成されている。
【００１５】
そして、包装体１は、内シート７を介して三角おにぎり（図示しない）と海苔Ｎとを別々に包装することができ、得られた包装おにぎりは、カットテープ３を長手方向に沿って引き回すことにより外シート２を短手方向中央部で分断し、しかる後、分断された外シート２と内シート７を側方へ引っ張り、取り除くことによって、三角おにぎりと海苔Ｎを合体させることができるものである。
【００１６】
外シート２は、短辺部２ａと長辺部２ｂを有する矩形状のフィルムであり、その内面２ｃに、対向する短辺部２ａ，２ａの中央部に跨って二本のカットテープ３，３が互いに間隔を有して平行に接着されている。また、各カットテープ３の端部の外側位置には、切り込み線５が設けられており、一対の切り込み線５，５間が開封起点としての摘み片６となっている。
【００１７】
内シート７は、短辺部７ａと長辺部７ｂを有する矩形状のフィルムであり、二枚一対として構成される。該一対の内シート７，７の一方の長辺部７ｂは、外シート２の長辺部２ｂに熱溶着されており（図１に網掛けで示す）、且つ一対の内シート７，７の他方の長辺部（対向辺部）７ｂ’は、外シート２の短手方向中央部で長手方向に沿って重ね合わされている。また、内シート７の短辺部７ａも、外シート２の短辺部２ａに熱溶着されている（図１に網掛けで示す）。
【００１８】
従って、一対の内シート７，７は、重ね合わされた対向辺部７ｂ’，７ｂ’を除き、外シート２に熱溶着されており、外シート２と内シート７の間には、周囲（囲い込み領域）が熱溶着部８によって囲われた海苔Ｎの収納空隙部４が形成されている。尚、内外シート２，７の熱溶着部８の上下端の両隅部には、長辺部２ａ，７ａに平行な第１切取部９ａと傾斜した第２切取部９ｂとからなる切取部９が形成されている。
【００１９】
また、内シート７の短手方向中央部（重ね合わされた対向辺部７ｂ’，７ｂ’の端部）には、カットテープ３の端部（より詳しくは、摘み片６）が内側に露出するよう、切り欠き部１０が形成されている。即ち、各切り込み線５の外側位置から始まって略Ｕ字状あるいは略矩形状に内シート７が切り取られることにより、カットテープ３の端部及び切り込み線５を含む領域の外シート２が内側に露呈する格好となる。
【００２０】
以上の構成からなる包装体１は、その収納空隙部４に海苔Ｎを収納し、図３に示す如く、内シート７の下半分側に面して三角おにぎりＲの三角面を載せる。この際、三角おにぎりＲの一つの角部をカットテープ３の端部（切り欠き部１０）近傍に一致させて三角おにぎりＲを載置する。次に、載置後、包装体１の上半分側を三角おにぎりＲを包むように折返し（矢印Ｂで示す）、折返した上半分側の両隅部及び短手方向中央部を三角おにぎりＲの側面に添わし、次に、包装体１の下半分側の両側を三角おにぎりＲを包むように折返し（矢印Ｃで示す）、下半分側の包装体１の両隅部を重ね合わせた後、この両隅部を、図４に示す如く、ラベル１１などで止着することによって、三角おにぎりＲ全体を包装体１で包み込む。その上で、このものの三方の耳部１ａ，１ｂ，１ｃを、図５の網掛けで示すように、帯状に熱溶着して封止し、包装おにぎりＲ’を得ることができる。
【００２１】
そして、本実施形態に係る包装体１によれば、内シート７に切り欠き部１０を形成しておくことで、耳部１ａ，１ｂ，１ｃを熱溶着する際、耳部１ａにおいて、熱溶着が摘み片６に掛かるようであっても、摘み片６が熱溶着により内シート７と一体化することはなく、摘み片６の機能が損なわれることはない。即ち、摘み片６に対応する部位には内シート７が存在しないため、摘み片６を跨いで熱溶着がなされたとしても、摘み片６自身が熱溶着されるだけであり、摘み片６の内シート７からの独立性は維持される。
【００２２】
このような包装おにぎりＲ’について、三角おにぎりＲを食する際には、摘み片６を摘んでカットテープ３を縦回りに引き回し、外シート２を長手方向に分断する。この際、カットテープ２は、互いに間隔を有して平行する二本からなるので、二本のカットテープ２，２の幅よりも幅広な分断開口を形成することができる。従って、外シート２を分断後、外シート２と海苔Ｎとの接触面積が少なくなり、分断された一対の包装体片をそれぞれ容易に側方へ引っ張り、取り除くことができる。
【００２３】
尚、本発明は、上記実施形態に限定されるものではなく、本発明の要旨を逸脱しない範囲で種々の変更が可能である。
【００２４】
例えば、上記実施形態においては、内シート７，７の対向辺部７ｂ’，７ｂ’を非接着で重ね合わされているが、重ね合わせ部分から湿気などの侵入防止のため、この重ね合わせ部分を長手方向に弱く熱シールしてシート状食品の密封性を確保してもよい。
【００２５】
あるいは、次のような構成とすることであっても、シート状食品の密封性確保には有効である。例えば、図６（イ）に示す如く、一方の内シート７の対向辺部７ｂ’は、外側に向く第一折り返し片７Ａと、該第一折り返し片７Ａから内側に向く第二折り返し片７Ｂと、該第二折り返し片７Ｂから外側に向く第三折り返し片７Ｃとを備えるように構成し、第一及び第二折り返し片７Ａ，７Ｂ間に他方の内シート７の対向辺部７ｂ’を挿入するようにしたり、同図（ロ）に示す如く、他方の内シート７の対向辺部７ｂ’は、外側に向く第１折り返し片７Ａを備えるように構成したり、同図（ハ）に示す如く、他方の内シート７の対向辺部７ｂ’も、外側に向く第一折り返し片７Ａと、該第一折り返し片７Ａから内側に向く第二折り返し片７Ｂと、該第二折り返し片７Ｂから外側に向く第三折り返し片７Ｃとを備えるように構成する。
【００２６】
また、上記実施形態においては、内シート７の切り欠き部１０をカットテープ３の各端部に対応させて形成するようにしたが、本発明はこれに限定されず、少なくとも開封起点となる側のカットテープ３の端部に設けるようにすればよい。
【００２７】
また、上記実施形態においては、カットテープ３の端部の両側に一対の切り込み線５，５を設けて開封起点としての摘み片６を設けるようにしているが、これに限定されず、例えば、三角おにぎりＲ全体を包装体１で包み込み、三方の耳部１ａ，１ｂ，１ｃを熱溶着して封止した後、図７に示す如く、耳部１ａに切り込み線５’を設け、耳部１ａそのものを摘み片６’としてもよい。詳しく説明すると、切り込み線５’は、耳部１ａのうち、カットテープ３と反対側端であって、耳部１ａの基側に位置する封止部（シール部）寄りに形成される。このような摘み片６’を持って開封すると、切り込み線５’からの裂けは、封止部に沿って延び、内シート７の存在しないカットテープ３の端部に至り、そこからはカットテープ３と共に、包装体１を縦方向に分断していくこととなる。
【００２８】
また、上記実施形態においては、開封用条体としてのカットテープ３を二本設けているが、その数、形状、配置等は特に限定されない。
【００２９】
また、上記実施形態においては、対向辺部７ｂ’，７ｂ’同士を重ね合わせた二枚のシートからなる内シート７を採用しているが、一枚の内シートであって、外シート２の開封用条体３と対応関係にあるミシン目を形成し、分断可能にしたものや、二枚のシートの間に帯状のシートを介在させた三枚のシートからなる内シートであってもよい。即ち、内シートの形態も具体的には限定されない。
【図面の簡単な説明】
【００３０】
【図１】本実施形態に係る包装体を内面側から見た正面図を示す。
【図２】図１のＡ−Ａ線断面図を示す。
【図３】同実施形態に係る包装体を用いて三角おにぎりを包装する様子の斜視図を示す。
【図４】同実施形態に係る包装体を用いて三角おにぎりを包み込んだ状態の背面図を示す。
【図５】同実施形態に係る包装体にできた三方を耳部を封止して包装を完了した状態の斜視図を示す。
【図６】（イ）〜（ロ）は、他実施形態に係る包装体の断面図を示す。
【図７】他実施形態に係る包装体にできた三方を耳部を封止して包装を完了した状態の斜視図を示す。
【符号の説明】
【００３１】
１…包装体、１ａ〜１ｃ…耳部、２…外シート、２ａ…短辺部、２ｂ…長辺部、２ｃ…内面、３…カットテープ、４…収納空隙部、５…切り込み線、６…摘み片、７…内シート、７ａ…短辺部、７ｂ…長辺部、７ｂ’…対向辺部、８…熱溶着部、９…切取部、９ａ…第１切取部、９ｂ…第２切取部、１０…切り欠き部、１１…ラベル、Ｎ…海苔、Ｒ…三角おにぎり、Ｒ’…包装おにぎり
【図１】
2006264757.tif 000003
【図２】
2006264757.tif 000004
【図３】
2006264757.tif 000005
【図４】
2006264757.tif 000006
【図５】
2006264757.tif 000007
【図６】
2006264757.tif 000008
【図７】
2006264757.tif 000009